(57)【要約】【課題】小型であっても安全なリトラクト動作が可能なディスク装置を提供する。【解決手段】ディスク装置１は、電力が遮断された際に、電気化学キャパシタ３３から、ヘッド７をディスク５上もしくはディスク外の所定の退避位置まで移動させる動作に要する電力がヘッド駆動部１７に供給されるとともに、ヘッド７を所定の退避位置へ移動させている間ディスク５を回転させる動作に要する電力がディスク駆動部１９に供給されることを特徴とする。【選択図】  図２
2004265515.tif 000002
【特許請求の範囲】
【請求項１】
情報が記録されるディスクと、
前記ディスクを回転させるディスク駆動部と、
前記ディスクに対し情報を記録し、又は、前記ディスクから情報を再生するヘッドと、
前記ヘッドを前記ディスク上の所望の位置に移動させるヘッド駆動部と、
前記ディスク駆動部及び前記ヘッド駆動部に電力を供給する電気化学キャパシタと、を備えており、
電力が遮断された際に、前記電気化学キャパシタから、前記ヘッドを前記ディスク上もしくは前記ディスク外の所定の退避位置まで移動させる動作に要する電力が前記ヘッド駆動部に供給されるとともに、前記ヘッドを前記所定の退避位置へ移動させている間前記ディスクを回転させる動作に要する電力が前記ディスク駆動部に供給されることを特徴とするディスク装置。
【請求項２】
外部から電力が供給されている際に、前記電気化学キャパシタから、前記ヘッドを前記ディスクの所望の位置に移動させる動作に要する電力の少なくとも一部が前記ヘッド駆動部に供給されるとともに、前記ディスクを回転させる動作に要する電力の少なくとも一部が前記ディスク駆動部に供給されることを特徴とする請求項１に記載のディスク装置。
【請求項３】
前記電気化学キャパシタの容量が０．００１Ｆ以上に設定されていることを特徴とする請求項１又は２に記載のディスク装置。
【請求項４】
前記電気化学キャパシタの容量が１０Ｆ以下に設定されていることを特徴とする請求項３に記載のディスク装置。
【請求項５】
前記電気化学キャパシタの容量が０．０１〜１Ｆに設定されていることを特徴とする請求項４に記載のディスク装置。
【請求項６】
前記電気化学キャパシタは、電気二重層キャパシタであることを特徴とする請求項１〜６の何れか１項に記載のディスク装置。
【発明の詳細な説明】
【０００１】
【発明の属する技術分野】
本発明はディスク装置に関する。
【０００２】
【従来の技術】
従来、キャパシタを備えたディスク装置としては、ディスクの回転開始時の電力を補うための電源として電気二重層キャパシタを備えたものが知られていた（例えば、特許文献１参照。）。このディスク装置では外部から供給される駆動電力の不足を解消するため、電気二重層キャパシタからも電力を供給し不足電力を補うこととしている。
【０００３】
【特許文献１】
特開２００１−２０２１４４号公報
【０００４】
【発明が解決しようとする課題】
ところで、このようなディスク装置はディスクを回転させた状態でヘッドをディスク上の記録領域へ移動させ、データの記録再生を行っている。ディスクとヘッドが接触するとヘッドあるいはディスクが損傷し致命的な故障となる場合があるため、ヘッドはディスク装置の稼働中、常にディスク表面からわずかに浮上しており、その浮力はディスクの回転によって生じている。また、装置の停止時にはヘッドをディスクから離れた位置にある、ランプに退避させるか、ディスク上のデータの記録を行わないシッピングゾーンあるいはＣＳＳ（Ｃｏｎｔａｃｔ  Ｓｔａｒｔ  Ｓｔｏｐ）領域へ退避（リトラクト）させることとしている。稼動中に電力遮断が起こった場合にもヘッドとディスクが接触したまま停止することを防止するため、ディスク装置にはヘッドの退避を自動的に行ういわゆるオートリトラクト機能が付加されている。
【０００５】
オートリトラクト機能としては、突然電力が遮断された場合、ディスクが慣性で回転しヘッドが浮力を保っている間にディスク装置内のキャパシタからヘッド駆動モータへ電力を供給し、ヘッドをディスクと接触しないように浮かせたまま移動させディスクの回転半径外へ退避させることが一般的である。しかしながら、ディスク装置の小型化を考えたとき、小型のディスク装置ではディスクが軽く、直径も小さいためディスクの慣性モーメントが小さい。かかる小型のディスクは慣性でディスクが回転している時間が短いため、ヘッドがディスクから浮いている時間も短く、上記のオートリトラクト機能は適用が困難である。特許文献１に記載のディスク装置においても稼動中に電力遮断が起こった場合のオートリトラクト機能については考慮されていない。また、ディスク装置の小型化に伴い、ディスク装置自体を情報機器本体から取り外すことが可能なリムーバブルディスクとして設計される場合もある。電力が情報機器本体から供給されるリムーバブルディスクにおいては稼動中にユーザが情報機器本体から取り外すことも考えられ、電力遮断が起こる機会も多くなるため、上記問題点はさらに深刻である。
【０００６】
そこで、本発明は上記問題点を解決し、小型であっても安全なリトラクト動作が可能なディスク装置を提供することを課題とする。
【０００７】
【課題を解決するための手段】
上記課題を解決するため、本発明のディスク装置は、情報が記録されるディスクと、ディスクを回転させるディスク駆動部と、ディスクに対し情報を記録し、又は、ディスクから情報を再生するヘッドと、ヘッドをディスク上の所望の位置に移動させるヘッド駆動部と、ディスク駆動部及びヘッド駆動部に電力を供給する電気化学キャパシタと、を備えており、電力が遮断された際に、電気化学キャパシタから、ヘッドをディスク上もしくはディスク外の所定の退避位置まで移動させる動作に要する電力がヘッド駆動部に供給されるとともに、ヘッドを所定の退避位置へ移動させている間ディスクを回転させる動作に要する電力がディスク駆動部に供給されることを特徴とする。
【０００８】
上記ディスク装置によれば、電力が遮断された際に、ヘッドを所定の退避位置まで移動させるための電力ばかりでなく、ヘッドを移動させている間ディスクを回転させるための電力も電気化学キャパシタから供給される。このため、慣性モーメントの小さい小型のディスクであってもディスクの回転を維持することができ、ヘッドの浮力を確保したままヘッドの移動を行うことができる。
【０００９】
また、本発明のディスク装置は、外部から電力が供給されている際に、電気化学キャパシタから、ヘッドをディスクの所望の位置に移動させる動作に要する電力の少なくとも一部がヘッド駆動部に供給されるとともに、ディスクを回転させる動作に要する電力の少なくとも一部がディスク駆動部に供給されることを特徴としてもよい。
【００１０】
上記ディスク装置によれば、ヘッドをディスクの所望の位置に移動させる動作に要する電力の少なくとも一部がヘッド駆動部に供給されるとともに、ディスクを回転させる動作に要する電力の少なくとも一部が電気化学キャパシタから供給されている。このため稼動時に瞬間的に大きな電力が必要となった場合（例えば、ディスク駆動部やヘッド駆動部の始動時）で、外部から供給されている電力が不足する場合にも電気化学キャパシタから供給される電力によって電力が平準化され安定した稼動ができるようになる。
【００１１】
また、本発明のディスク装置は、電気化学キャパシタの容量が０．００１Ｆ以上に設定されていることを特徴としてもよい。このように設定すればディスク駆動部及びヘッド駆動部が、ヘッドを安全に所定の退避位置まで退避させる動作に要する最低限の電力を供給することができる。
【００１２】
また、本発明のディスク装置は、電気化学キャパシタの容量が１０Ｆ以下に設定されていることを特徴としてもよい。このように設定すれば電気化学キャパシタの充電が開始されてから各モータの始動に必要な電気量が電気化学キャパシタに蓄えられるまでの充電時間を実用的なレベルに抑えることができる。
【００１３】
また、本発明のディスク装置は、電気化学キャパシタの容量が０．０１〜１Ｆに設定されていることが更に好ましい。このように設定すればヘッドを所定の退避位置に移動させる動作に要する電力を安全に供給することができ、かつ電気化学キャパシタの充電が開始されてから各モータの始動に必要な電気量が電気化学キャパシタに蓄えられるまでの充電時間も短いためディスク駆動部、ヘッド駆動部を電気化学キャパシタの充電開始後素早く始動することができる。
【００１４】
また、本発明のディスク装置は、電気化学キャパシタが、電気二重層キャパシタであることを特徴としてもよい。
【００１５】
【発明の実施の形態】
以下、本発明の実施の形態について説明する。なお、同一要素には同一符号を用い、重複する説明は省略する。
【００１６】
図１は、本実施形態に係るハードディスク装置１を示す斜視図であり、図２は本実施形態に係るハードディスク装置１及びハードディスク装置１が接続される情報機器２のシステム構成を示すブロック図である。図に示すとおりハードディスク装置１はディスク５と、ディスク駆動用モータ１９と、ディスク制御部２９と、磁気ヘッド７と、ヘッド駆動用モータ１７と、ヘッド制御部３１と、を備えている。
【００１７】
ハードディスク装置１は、ヘッドジンバルアセンブリ（ＨＧＡ：Ｈｅａｄ  Ｇｉｍｂａｌｓ  Ａｓｓｅｍｂｌｙ）３を作動させて、高速回転するディスク５の磁化遷移領域（図１の上面）に、磁気ヘッド７によって磁気情報を記録及び再生するものである。ディスク５は円盤状であって、その周方向に沿って磁化遷移領域が連続してなるトラックを有する。トラックは情報を対応する磁化遷移状態に変換して記録することができ、磁気ヘッド７を磁化遷移領域上の所望の位置に移動させることによって所望のトラックに情報の記録が行われ、または所望のトラックに記録された情報の再生が行われる。
【００１８】
ディスク駆動用モータ１９はディスク５の回転軸２１を回転させることによってディスク５を回転させる。ディスク駆動用モータ１９としては例えばスピンドルモータが用いられる。ディスク駆動用モータ１９はディスク制御部２９によって回転数が制御されている。
【００１９】
磁気ヘッド７はヘッドジンバルアセンブリ３の先端に配置されている。ヘッドジンバルアセンブリ３は、磁気ヘッド７が設けられたヘッドスライダ９を搭載したジンバル１１と、これが接続されたサスペンションアーム１３とを備え、支軸１５周りにヘッド駆動用モータ１７によって回転可能となっている。ヘッド駆動用モータ１７としては例えばボイスコイルモータが用いられる。ヘッドジンバルアセンブリ３を回転させると、磁気ヘッド７は、ハードディスク２の半径方向、すなわちトラックラインを横切る方向（矢印Ａ）に移動する。また、ディスク駆動用モータ１９によって円盤の中心の回転軸２１を中心として回転すると、磁化遷移領域は磁気ヘッド７に対して相対的に移動する。よって、ディスク５及びヘッドジンバルアセンブリ３を回転させることで磁気ヘッド７を磁気遷移領域上の所望の位置へ移動することができる。
【００２０】
ヘッドスライダ９のディスク５と対向する面はディスク５の回転で生じる気流によって浮力を生じるような形状に形成されている。このため、ディスク５が回転している時、磁気ヘッド７はディスク５と接触せず表面からわずかに浮上しており、浮上したままでディスク５上を移動することができる。また、後述する所定の場合にはヘッド駆動用モータ１７はヘッドジンバルアセンブリ３を回転させ、磁気ヘッド７をランプ８（退避位置）へ移動させる。磁気ヘッド７がランプ８に位置する時には磁気ヘッド７がディスク５に接触しないようになっている。
【００２１】
図２に示すとおりハードディスク装置１は電力供給端子部２３、ダイオード２５、ＤＣ／ＤＣコンバータ２７、電気二重層キャパシタ３３、電圧検知部３５を更に備えている。
【００２２】
ハードディスク装置１は情報機器２に接続して用いられ、必要な電力が、ハードディスク装置１が接続された情報機器２から供給されるようになっている。情報機器２は例えばＰＤＡ（Ｐｅｒｓｏｎａｌ  Ｄｉｇｉｔａｌ  Ａｓｓｉｓｔａｎｔ）などの携帯電子機器であって、外部記憶装置としてのハードディスク装置１にアクセスし、情報の記録、再生を行う機器である。例えばハードディスク装置１と情報機器２とのデータの送受信を行うためのデータ送受信用端子のコネクタ内に電力供給端子部２３を設けておくことによってハードディスク装置１は該コネクタを通じてデータの授受をするとともに、情報機器２からの電力供給を受けるようになっている。このため、ハードディスク装置１自体にはＡＣアダプタ等の電力供給手段を別途接続する必要がない。
【００２３】
情報機器２から供給される電力は電力供給端子部２３を介してハードディスク装置１に供給されるようになっている。電力供給端子部２３を介して送られた電力は電流の逆流を防止するダイオード２５を経由してＤＣ／ＤＣコンバータ２７へ供給される。
【００２４】
ＤＣ／ＤＣコンバータ２７は電力端子部２３から供給される電力の電圧をディスク駆動用モータ１７及びヘッド駆動用モータ１９の駆動電圧へ変換する昇圧回路として働く。ＤＣ／ＤＣコンバータ２７で電圧変換された電力はディスク制御部２９を経由してディスク駆動用モータ１９へ供給されディスクの回転に要する電力となる。また、それと並行してＤＣ／ＤＣコンバータ２７で電圧変換された電力はヘッド制御部３１を経由してヘッド駆動用モータ１７へ供給されヘッドを所望の位置へ移動させる動作に要する電力となる。
【００２５】
ディスク制御部２９はディスク駆動用モータ１９を制御し、ディスクの回転を制御している。ディスク制御部２９及びディスク駆動用モータ１９はディスク駆動部を構成する。ヘッド制御部３１はヘッド駆動用モータ１７を制御し、ヘッドジンバルアセンブリ３の回転速度や回転角を制御することによって磁気ヘッド７の位置を制御している。ヘッド制御部３１、ヘッド駆動用モータ１７、及びヘッドジンバルアセンブリ３はヘッド駆動部を構成する。
【００２６】
電気二重層キャパシタ３３は電力供給端子部２３から供給される電力によって充電され、後述する所定の場合には蓄えた電力をＤＣ／ＤＣコンバータ２７で電圧変換しディスク駆動用モータ１９及びヘッド駆動用モータ１７に電力を供給する。電圧検知部３５は電力供給端子部２３から供給される電力の電圧を監視し、所定の電圧を下回った場合にはヘッド制御部３１へ電圧降下信号を送る。電圧検知部３５としては例えばコンパレータが用いられる。
【００２７】
次に、上記ハードディスク装置１の動作を説明する。
【００２８】
（装置稼動開始時）
まず、情報機器２から電力供給端子部２３を介してハードディスク装置１へ電力が供給される。電力供給端子部２３からＤＣ／ＤＣコンバータ２７へ電力が供給されるとともに、電気二重層キャパシタ３３にも充電のための電力が供給される。電気二重層キャパシタ３３は供給された電力によって充電される。ＤＣ／ＤＣコンバータ２７に供給された電力は電圧変換され、ディスク駆動用モータ１９及びヘッド駆動用モータ１７へ送られる。この電力によってディスク５が回転し、ヘッドジンバルアセンブリ３が回転することでディスク上の所望の位置へ磁気ヘッド７が移動し、情報の記録又は再生が行われる。ディスク駆動用モータ１９やヘッド駆動用モータ１７の始動時は回転を維持する電力よりも５〜１０倍の大きな電力が必要となるため電力供給端子部２３から供給される電力のみでは電力が不足し、ディスク駆動用モータ１９やヘッド駆動用モータ１７が始動できない場合もある。この場合には電力供給端子部２３からの供給に加え充電した電気二重層キャパシタ３３からもＤＣ／ＤＣコンバータ２７に電力が供給され、不足する電力が補われる。この場合は充電によって電気二重層キャパシタの電圧が一定の値に達し、電力供給端子部２３からの電力を補いディスク駆動用モータ１９及びヘッド駆動用モータ１７を始動できるようになった時点で、ディスク駆動用モータ１９やヘッド駆動用モータ１７が始動することとなる。
【００２９】
（通常稼動時）
電気二重層キャパシタ３３が所定の電圧まで充電された後は、電力供給端子部２３から供給される電力はＤＣ／ＤＣコンバータ２７に供給され、ディスク５の回転に要する電力及び磁気ヘッド７を所望の位置へ移動する動作に要する電力となる。通常駆動時に瞬間的に大きな電力が必要となる場合には電力供給端子部２３から供給される電力が不足する場合もある。この場合には電力供給端子部２３からの供給に加え電気二重層キャパシタ３３からもＤＣ／ＤＣコンバータ２７を経由して駆動用モータ１９及びヘッド駆動用モータ１７に電力が供給され、不足する電力が補われる。
【００３０】
（装置稼動終了時）
装置稼動終了時には、ヘッド制御部３１によってヘッド駆動用モータ１７が駆動させられ、ヘッドジンバルアセンブリ３が回転し、磁気ヘッド７がランプ８の位置に移動する。このとき磁気ヘッド７を移動させる上記の動作に要する電力は電力供給端子部２３からＤＣ／ＤＣコンバータ２７で電圧変換されヘッド駆動用モータ１７へ供給される。磁気ヘッド７が移動している間は磁気ヘッド７をディスク５の表面に接触させないよう浮力を確保するため、ディスク駆動用モータの駆動力が伝達されることによりディスク５を回転させるが、この回転動作に要する電力は、電力供給端子部２３からＤＣ／ＤＣコンバータ２７を経由してディスク駆動用モータ１７へ供給される。磁気ヘッド７がランプ８への移動を完了したらヘッド駆動用モータ１７及びディスク駆動用モータ１９への電力供給は停止される。
【００３１】
（電力遮断時）
稼動中にハードディスク装置１が情報機器本体２から取り外される等の原因により、電力供給端子部２３への電力供給が遮断される場合がある。このときは電力供給端子部２３より供給される電力の電圧を監視していた電圧検知部３５によって電圧が所定の電圧よりも低くなったことが検知される。検知後は電圧検知部３５からヘッド制御部３１に電圧降下信号が送られる。信号を受けたヘッド制御部３１によってヘッド駆動用モータ１７が駆動させられ、ヘッドジンバルアセンブリ３が回転し、磁気ヘッド７がランプ８の位置に移動する。このとき磁気ヘッド７を移動させる上記の動作に要する電力は電気二重層キャパシタ３３からＤＣ／ＤＣコンバータ２７で電圧変換されヘッド駆動用モータ１７へ供給される。磁気ヘッド７が移動している間は磁気ヘッド７の浮力を確保するためディスク駆動用モータの駆動力を伝達することによりディスク５を回転させるが、この回転動作に要する電力は、電気二重層キャパシタ３３からＤＣ／ＤＣコンバータ２７で電圧変換されディスク駆動用モータ１７へ供給される。磁気ヘッド７が退避位置８への移動を完了した時にはヘッド駆動用モータ１７への電力供給は停止される。磁気ヘッド７の移動が終了した時にディスク駆動用モータ１９への電力供給も停止されるようにしてもよいが、停止させることなく電気二重層キャパシタ３３に充電された電力を使い切るまで電力供給がされるようにしてもよい。
【００３２】
上記ハードディスク装置１によれば、電力が遮断された際に、磁気ヘッド１をランプ８まで移動するための電力ばかりでなく、磁気ヘッド７を移動させている間にディスク５を回転させるための電力も電気二重層キャパシタ３３から供給される。このため、慣性モーメントの小さい小型のディスクを有するディスク装置に適用した場合であってもディスクの回転を維持することができ、ヘッドの浮力を確保したまま安全にヘッドの移動を行うことができる。
【００３３】
また、上記ハードディスク装置１によれば、磁気ヘッド７をディスク５の所望の位置に移動させる動作に要する電力の一部がヘッド駆動用モータ１７に供給されるとともに、ディスク５を回転させる動作に要する電力の少なくとも一部が電気二重層キャパシタ３３から供給されている。このため稼動時に瞬間的に大きな電力が必要となった場合（例えば、ディスク駆動用モータやヘッド駆動用モータの始動時）で、外部から供給されている電力が不足する場合にも電気二重層キャパシタから供給されている電力によって電力が平準化され安定した稼動ができるようになる。よって情報機器本体２側の電源の電力を大きくする必要も無く、情報機器本体２側の電源の負荷を軽減することができる。
【００３４】
また、これらの電力平準化のための電気二重層キャパシタと、前述したヘッド退避の動作を行うための電力を供給する電気二重層キャパシタ３３とは共通化されているので、別途キャパシタ等を準備する必要もなく、部品点数が削減され、装置の小型化も容易となる。
【００３５】
なお、本発明は上記した実施形態に限定されることなく種々の変形が可能である。例えば、上記した実施形態では電力遮断時に磁気ヘッド７を退避させる退避位置としてランプ８の位置を設定しているが、退避位置としてディスク外のその他の領域、シッピングゾーンあるいはＣＳＳ領域を退避位置として設定しても良い。
【００３６】
また、上記実施形態では電気二重層キャパシタ３３からディスク駆動用モータ１９及びヘッド駆動用モータ１７へ供給される電力はＤＣ／ＤＣコンバータ２７で電圧変換してから供給されるようにしているが、電圧変換が不要であれば、ＤＣ／ＤＣコンバータ２７を介さずに各モータに電力を供給する位置に電気二重層キャパシタ３３を接続し、直接電力供給することとしてもよい。
【００３７】
以下、実施例に基づいて本発明をより具体的に説明するが、本発明は以下の実施例に限定されるものではない。
【００３８】
【実施例】
以下の実施例においては、上記実施形態の構成のハードディスク装置を用い、ハードディスク装置の電気二重層キャパシタの容量の設定を変えながらディスク駆動用モータ、ヘッド駆動用モータの駆動状態を確認した。用いたハードディスク装置は、ディスク直径が２０．３ｍｍであり、ディスク駆動用モータとヘッド駆動用モータが共に５Ｖで駆動し、それ以外の回路は３．３Ｖで動作するものである。ハードディスク装置を携帯電子機器に接続し、携帯電子機器から電圧３．３Ｖ、最大電流３００ｍＡで電力供給した。また、各モータへの電力は、ハードディスク装置内部へ組み込んだ昇圧回路で昇圧し５Ｖで供給した。また各モータが稼働開始時に必要とする電力は最大２．５Ｗであるため各モータを始動するためには５００ｍＡの電流が要求されることとなる。このハードディスク装置は磁気ヘッドを待避させるのに最大で３０ミリ秒必要とする。電力遮断時に慣性で回転しているディスクの回転が停止するまでの時間は０．１秒である。
【００３９】
このハードディスク装置の電気二重層キャパシタを表１に示すそれぞれの容量に設定し、各電気二重層キャパシタの容量について（１）各モータの始動時に不足する電力を補い各モータを始動させることができるか（モータ始動の可否）、（２）電力遮断が起こったときに充分なディスクの回転を確保し、ヘッドを所定の退避位置まで移動する間ヘッドの浮力を確保できるか否か（安全なオートリトラクト動作の可否）、（３）ハードディスク装置の稼動開始（電気二重層キャパシタの充電開始）から各モータの始動に必要な電気量が電気二重層キャパシタに蓄えられるまでの時間（充電時間）を確認した。電力遮断はハードディスク装置を携帯電子機器から取り外すことで行った。なお、電力遮断時に電気二重層キャパシタから各モータへ供給される電力は上記昇圧回路によって昇圧されてから供給されるように接続した。また、充電開始時の電気二重層キャパシタの電圧は０Ｖとした。
【００４０】
表１に電気二重層キャパシタの容量の設定を変えた各実施例及び比較例の稼動状態を示す。
【００４１】
【表１】
2004265515.tif 000003
【００４２】
電気二重層キャパシタの容量が０．００１〜１０Ｆである実施例１〜４では各モータの始動が可能であり、オートリトラクト動作も可能であった。充電時間も約０．１秒から約１０秒と実用上問題なかった。比較例１では各モータの始動ができなかった。比較例２では各モータの始動はできたが、安全なオートリトラクト動作ができなかった（リトラクト時のヘッドが移動するまでの間にディスクの回転が低下したため、ヘッドの浮力が不足してディスクと接触した。）。比較例３では各モータの始動、安全なオートリトラクト動作共に可能であったが、充電時間が約１８分（非実用的な時間）であった。
【００４３】
以上の試験結果から、電気二重層キャパシタの容量を０．００１Ｆ以上に設定すれば安全なリトラクト動作に要する最低限の電力を供給することができることが確認できた。また、電気化学キャパシタの容量を１０Ｆ以下に設定すればディスク装置の稼動開始（充電開始）から各モータの始動に必要な電気量が電気化学キャパシタに蓄えられるまでの充電時間を実用的なレベル（約２分以下）に抑えることができることが確認できた。さらに、電気二重層キャパシタの容量を０．０１〜１Ｆに設定すればオートリトラクト動作に要する電力を安全に供給することができ、かつ充電時間も短い（約１０秒以下）ためディスク駆動駆動用モータ、ヘッド駆動用モータをハードディスク装置稼動後に素早く始動できることが確認できた。
【００４４】
【発明の効果】
上述のとおり、本発明によれば、小型であっても安全なリトラクト動作が可能なディスク装置を提供することができる。
【図面の簡単な説明】
【図１】実施形態のハードディスク装置を示した斜視図である。
【図２】実施形態のハードディスク装置の構成を示したブロック図である。
【符号の説明】
１…ハードディスク装置、２…情報機器本体、３…ヘッドジンバルアセンブリ、５…ディスク、７…磁気ヘッド、９…ヘッドスライダ、１１…ジンバル、１３…サスペンションアーム、１７…ヘッド駆動用モータ、８…退避位置、１９…ディスク駆動用モータ、２９…ディスク制御部、３１…ヘッド制御部、３３…電気二重層キャパシタ。
【図１】
2004265515.tif 000004
【図２】
2004265515.tif 000005